(57)【要約】【課題】ガラスクロスを基材とする不燃性の表示シートを使用して防災性を高めることができながら、使用中に表示シートの外周側部位に引き裂き等の破損が生じるのを抑制できるシート取付構造を提供する。【解決手段】画像を表示自在な表示シート１と、表示シート１に張力を付与する状態で表示シート１の外周側部位１Ａを取付対象２に取付自在なシート取付部３とが備えられ、表示シート１が、ガラスクロスを基材とする不燃性の第１シート１１の外周側部位１１Ａの少なくとも一部に、第１シート１１と同等以上の強度の第２シート１２を積層して構成されている。【選択図】図３
2020160298.tif 000002
【特許請求の範囲】
【請求項１】
画像を表示自在な表示シートと、前記表示シートに張力を付与する状態で前記表示シートの外周側部位を取付対象に取付自在なシート取付部とが備えられ、
前記表示シートが、ガラスクロスを基材とする不燃性の第１シートの外周側部位の少なくとも一部に、前記第１シートと同等以上の強度の第２シートを積層して構成されているシート取付構造。
【請求項２】
前記第２シートの強度が、前記第１シートの強度よりも高く設定されている請求項１記載のシート取付構造。
【請求項３】
前記第２シートが、アラミド繊維から構成されている請求項２記載のシート取付構造。
【請求項４】
前記シート取付部には、前記表示シートの外周辺に沿って延びる帯板状の被保持バーと、前記表示シートの外周側部位を巻き掛けた状態の前記被保持バーを、前記表示シートから遠ざかる外方側に引き寄せる状態で前記取付対象に連結する引き寄せ連結具とが備えられている請求項１〜３のいずれか１項に記載のシート取付構造。
【請求項５】
前記被保持バーの長手方向の両端部において、前記表示シートから遠ざかる外方側の外縁部が、円弧状に面取りされている請求項４記載のシート取付構造。
【請求項６】
前記被保持バーの複数本が、長手方向の端部どうしを近接又は当接させる配置状態で前記表示シートの外周辺に沿って一直線状に配置されている請求項４又は５記載のシート取付構造。
【発明の詳細な説明】
【技術分野】
【０００１】
本発明は、広告や案内等の各種の画像を表示自在な表示シートを屋内外の各種の取付対象に取り付けるのに用いられるシート取付構造に関する。
【背景技術】
【０００２】
この種の表示シートとして、ガラスクロスを基材とする不燃性の表示シート（例えば、特許文献１参照）が知られている。このような不燃性の表示シートは、万一、屋内外の取付対象に取り付けて使用しているときに火災が発生しても、火災を燃え広げる虞がなく、防災性の面で非常に優れている。
【０００３】
一般的に、この種の表示シートを取付対象に取り付けるシート取付構造は、表示シートに張力を付与する状態で表示シートの外周側部位を取付対象に取付自在なシート取付部が備えられている。シート取付部にて表示シートに張力を付与する状態で表示シートの外周側部位を取付対象に取り付けることで、表示シートに撓み等が発生するのを防止し、表示シートの表面に施される広告や案内等の各種の画像を美麗に表現することができる。
【０００４】
取付対象が中高層建物の外壁等の屋外である場合に、台風等の強風が発生すると、表示シートの屋外側の近傍領域が負圧域となり、表示シートを屋外側に引き寄せる大きな引き寄せ力が作用する。そこで、シート取付部では、そのような大きな引き寄せ力によって表示シートが取付対象から外れないように、表示シートの外周側部位をクランプ等で強固に保持して取付対象に取り付けるようにしている。
【先行技術文献】
【特許文献】
【０００５】
【特許文献１】特許第４４８４８２９号公報
【発明の概要】
【発明が解決しようとする課題】
【０００６】
ガラスクロスは、引き裂きに対する強度が低い織布である。そのため、ガラスクロスを基材とする不燃性の表示シートを上述のシート取付構造にて取付対象に取り付けて使用しているときに台風等の強風が発生し、表示シートに対して屋外側に引き寄せる大きな引き寄せ力が作用すると、表示シートの外周側部位においてシート取付部に強固に保持される部位又はその近傍から引き裂かれて破損が生じることも考えられる。
【０００７】
本発明は、上述の実情に鑑みてなされたものであって、その主たる課題は、ガラスクロスを基材とする不燃性の表示シートを使用して防災性を高めることができながら、使用中に表示シートの外周側部位に引き裂き等の破損が生じるのを抑制できるシート取付構造を提供する点にある。
【課題を解決するための手段】
【０００８】
本発明の第１特徴構成は、シート取付構造に係り、その特徴は、
画像を表示自在な表示シートと、前記表示シートに張力を付与する状態で前記表示シートの外周側部位を取付対象に取付自在なシート取付部とが備えられ、
前記表示シートが、ガラスクロスを基材とする不燃性の第１シートの外周側部位の少なくとも一部に、前記第１シートと同等以上の強度の第２シートを積層して構成されている点にある。
【０００９】
本構成によれば、表示シートが、ガラスクロスを基材とする不燃性の第１シートの外周側部位の少なくとも一部に、第１シートと同等以上の強度の第２シートを積層して構成されているので、表示シートにおけるシート取付部にて強固に保持される部位の強度を効果的に高めることができる。よって、ガラスクロスを基材とする不燃性の表示シートを使用して防災性を高めることができながら、使用中に表示シートの外周側部位に引き裂き等の破損が生じるのを抑制できるシート取付構造を提供することができる。
【００１０】
本発明の第１特徴構成は、前記第２シートの強度が、前記第１シートの強度よりも高く設定されている点にある。
【００１１】
本構成によれば、第１シートよりも強度の高い第２シートにより、表示シートにおけるシート取付部にて強固に保持される部位の強度を一層効果的に高めることができ、使用中に表示シートの外周側部位に引き裂き等の破損が生じるのを一層抑制することができる。
【００１２】
本発明の第３特徴構成は、前記第２シートが、アラミド繊維から構成されている点にある。
【００１３】
本構成によれば、軽量でありながらガラスクロスに比べて極めて強度の高いアラミド繊維から第２シートが構成されているので、表示シートにおけるシート取付部にて強固に保持される部位の強度を更に一層効果的に高めることができ、使用中に表示シートの外周側部位に引き裂き等の破損が生じるのを更に一層抑制することができる。
【００１４】
本発明の第４特徴構成は、前記シート取付部には、前記表示シートの外周辺に沿って延びる帯板状の被保持バーと、前記表示シートの外周側部位を巻き掛けた状態の前記被保持バーを、前記表示シートから遠ざかる外方側に引き寄せる状態で前記取付対象に連結する引き寄せ連結具とが備えられている点にある。
【００１５】
本構成によれば、引き寄せ連結具により、表示シートの外周側部位を巻き掛けた状態の被保持バーを表示シートから遠ざかる外方側に引き寄せる状態で取付対象に連結するので、被保持バーを介して表示シートの広い範囲に引き寄せ連結具による引張力を作用させることができる。よって、表示シートに適切に張力を付与した状態で表示シートを取付対象に取り付けることができる。
【００１６】
本発明の第５特徴構成は、前記被保持バーの長手方向の両端部において、前記表示シートから遠ざかる外方側の外縁部が、円弧状に面取りされている構成されている点にある。
【００１７】
本構成によれば、引き寄せ連結具にて、表示シートの外周側部位を巻き掛けた状態の被保持バーを表示シートから遠ざかる外方側に引き寄せるにあたり、被保持バーの長手方向の両端部において表示シートの外方側に位置する外縁部と表示シートの外周側部位とが押し付けられるが、その外縁部が円弧状に面取りされているので、その外縁部との接触部位から表示シートに引き裂き等の破損が生じるのを好適に抑制することができる。
【００１８】
本発明の第６特徴構成は、前記被保持バーの複数本が、長手方向の端部どうしを近接又は当接させる配置状態で前記表示シートの外周辺に沿って一直線状に配置されている点にある。
【００１９】
本構成によれば、引き寄せ連結具にて、表示シートの外周側部位を巻き掛けた状態の被保持バーを表示シートから遠ざかる外方側に引き寄せるにあたり、被保持バーの複数本が、長手方向の端部どうしを近接又は当接させる配置状態で表示シートの外周辺に沿って一直線状に配置されているので、被保持バーの長手方向の端部と表示シートの外周側部位との接触部位に押し付け力が集中するのを抑制することができ、押し付け力が集中する箇所から表示シートに引き裂き等の破損が生じるのを好適に抑制することができる。
【図面の簡単な説明】
【００２０】
【図１】シート取付構を第１実施形態を示す正面図
【図２】シート取付部を概念的に示す模式図
【図３】シート取付構造の要部の拡大図
【図４】（ａ）表示シートの基本構成を示す図、（ｂ）ガラスヤーンの横断面図
【図５】シート取付構造の第２実施形態を示す要部の拡大図
【図６】シート取付構造の第３実施形態を示す要部の拡大図
【図７】シート取付構造の第４実施形態を示す要部の拡大図
【発明を実施するための形態】
【００２１】
本発明のシート取付構造の実施形態を図面に基づいて説明する。
〔第１実施形態〕
このシート取付構造は、図１に示すように、画像表示パネルＰに好適に適用することができ、画像を表示自在な表示シート１と、表示シート１に張力を付与する状態で表示シート１の外周側部位１Ａをシート設置枠２（取付対象の一例）に取付自在なシート取付部３とを備えて構成されている。
【００２２】
表示シート１は、例えば、不燃性で透光性と光拡散性とを有するように構成され、インクジェットプリンタ等の印刷機にて前面又は後面或いはそれらの両面に印刷を施したり、画像フィルム等を前面又は後面或いはそれらの両面に積層して貼り付ける等の各種の方法にて画像を形成することができる。
図示は省略するが、例えば、表示シート１の後方側に、多数のＬＥＤ素子等が分散配置された光源パネル等を設置することができる。その場合、表示シート１に対して光源パネルからの光を拡散させながら前方に透過させることで表示シート１に形成された画像を表示することができる。
なお、表示シート１は、不燃性と光反射性とを有するように構成され、前方からの自然光等の光を反射する形態で画像を表示自在なもの等であってもよく、各種の形態で画像を表示自在な各種の構成を適宜に採用することができる。
【００２３】
シート設置枠２は、例えば、シート取付部３及び表示シート１の外周側部位１Ａを前方及び外側方から被覆する外周枠部２２を外周側に備えて構成されている。シート設置枠２の前面の中央側には、表示シート１を外部に望ませる開口部２１が形成されている。
外周枠部２２の内部には、シート設置枠２の骨組を構成して外周枠部２２を支持する本体フレーム２３（図３参照）が備えられている。シート取付部３は、外周枠部２２の内部において本体フレーム２３に対して表示シート１の外周側部位１Ａを取り付けている。
【００２４】
シート取付部３は、例えば、図２及び図３に示すように、表示シート１の外側辺に沿って延びる帯板状の被保持バー３１と、表示シート１の外周側部位１Ａを巻き掛けた状態の被保持バー３１を表示シート１から遠ざかる外方側（図２中の矢印の方向）に引き寄せる状態で本体フレーム２３に連結する引き寄せ連結具３２等から構成されている。この第１実施形態では、引き寄せ連結具３２は、被保持バー３１を表示シート１の面方向に沿って表示シート１を引き寄せている。
【００２５】
被保持バー３１は、金属製の細幅の板材にて構成されている。被保持バー３１は、図２に示すように、長手方向の両端部３１Ａにおいて表示シート１から遠ざかる外方側の外縁部３１ａが円弧状に面取りされ、相対向する長手方向の端部３１Ａどうしを近接させる配置状態で表示シート１の外側辺の夫々で外側辺に沿って複数本が一直線状に配置されている。
【００２６】
引き寄せ連結具３２は、図３に示すように、表示シート１の外周側部位１Ａを巻き掛けた状態の被保持バー３１を把持状態で内部に保持自在なクランプ状又は凹状の係止部３２ａを備えたシート側連結部材３２Ａ、本体フレーム２３側の突片状の被係止部２３ａに外方側から係止自在な凹状の係止部３２ｂを備えた取付対象側連結部材３２Ｂ、シート側連結部材３２Ａと取付対象側連結部３３Ｂとに亘って設けられた引き寄せ機構３２Ｃ等を備えて構成されている。
【００２７】
引き寄せ機構３２Ｃは、基端側がシート側連結部材３２Ａの背面側に埋め込み固定され、且つ、先端側が取付対象側連結部材３２Ｂの挿通穴３２ｋに挿通されたボルト３２ｄと、当該ボルト３２ｄにおける取付対象側連結部材３２Ｂの通過部位に螺合されたナット３２ｅにて構成されている。ナット３２ｅを締め込み操作することで、本体フレーム２３を反力受けにしてシート側連結部材３２Ａを表示シート１の外方側（図３中の右側）に引き寄せることができ、表示シート１に張力を付与する状態で表示シート１の外周側部位１Ａを本体フレーム２３に取り付けることができる。
【００２８】
そして、本実施形態では、図３に示すように、表示シート１が、ガラスクロスＧＣ（図４参照）を基材とする不燃性の第１シート１１の外周側部位１１Ａの少なくとも一部に、第１シート１１と同等以上の強度の第２シート１２を積層して構成されている。本実施形態では、第２シート１２の強度が、第１シート１１の強度よりも高く設定されている。なお、上記の第１シート１１及び第２シート１２の強度には、少なくとも引き裂きに対する強度が含まれる。
【００２９】
第１シート１１は、その基本構成として、図４（ａ）、（ｂ）に示すように、不燃性のガラスクロスＧＣを基材に備え、その基材の前後（表裏）の両面を、透光性を有する樹脂層Ｊにてコーティングして構成されている。ガラスクロスＧＣは、ガラスフィラメント（ガラス繊維）ｇｆの多数本を束ねたガラスヤーンＧＹを平織りや変形平織り等で織って構成されている。なお、図４（ｂ）では、便宜上、ガラスヤーンＧＹを構成するガラスフィラメントｇｆの一部を省略している。樹脂層Ｊは、白色系顔料や防炎剤等を含む樹脂の層であり、ウレタン樹脂の層や塩化ビニル樹脂の層等の複数の樹脂の層にて構成することができる。
【００３０】
第２シート１２は、アラミド繊維にて構成され、第１シート１１より大幅に強度が高いシートとして構成されている。本実施形態では、第２シート１２は、引き裂きに対する強度が第１シート１１に比べて２〜３倍高く設定されている。なお、第２シート１２は、アラミド繊維に限らず、炭素繊維等の適宜の高強度繊維にて構成することができる。
【００３１】
図３に示すように、第２シート１２は、第１シート１１の外周側部位１１Ａの少なくとも一部として、表示シート１の外周側部位１Ａをシート取付部３にて本体フレーム２３に取り付けた状態で、シート取付部３を構成する被保持バー３１や引き寄せ連結具３２のクランプ状又は凹状の係止部３２ａと当接又は近接する部位を含む領域に配置されている。第２シート１２は、シート設置枠２の開口部２１の開口縁よりも外周側において第１シート１１の外側辺に沿って帯状に延びる状態で配置されている。
本実施形態では、第２シート１２は、第１シート１１の外周側部位１１Ａにおける被保持バー３１に相対向する側の面に積層され、縫着や接着等の適宜の取付手段にて取り付けられている。第２シート１２は、被保持バー３１の全周囲を囲う状態で配置されている。
ちなみに、第２シート１２は、第１シート１１の外周側部位１１Ａにおける引き寄せ連結具３２のクランプ状又は凹状の係止部３２ａの内面に相対向する側の面に積層状態で備えられていてもよい。
【００３２】
このように構成されたシート取付構造は、表示シート１における被保持バー３１や引き寄せ連結具３２のクランプ状又は凹状の係止部３２ａと当接又は近接する部位の強度を効果的に高めることができ、不燃性の表示シート１を使用して防災性を高めながら、使用中に表示シート１の外周側部位１Ａに引き裂き等の破損が生じるのを抑制することができる。
【００３３】
〔第２実施形態〕
図５は、本発明のシート取付構造の第２実施形態を示している。この第２実施形態では、表示シート１に張力を付与する状態で表示シート１の外周側部位１Ａをシート設置枠２に取付自在なシート取付部３に、表示シート１の外周側部位１Ａの姿勢を外周面３３ａに沿って変更する姿勢変更部材３３が備えられている。
【００３４】
姿勢変更部材３３は、シート設置枠２の外周枠部２２の内側に立設された鋼管製のポールにて構成され、その円筒状の外周面３３ａに沿わせる形態で表示シート１の外周側部位１Ａの延在方向を後方側に変更するように構成されている。
また、本体フレーム２３及び引き寄せ連結具３２が、外周枠部２２の内部において姿勢変更部材３３の後方側に配置されている。引き寄せ連結具３２は、姿勢変更部材３３から後方側に延在する表示シート１の外周側部位１Ａを巻き掛けた状態の被保持バー３１を後方側に引き寄せる状態で本体フレーム２３に取り付けている。
【００３５】
そして、第１シート１１よりも強度の高い第２シート１２は、第１実施形態と同様、第１シート１１の外周側部位１１Ａの少なくとも一部として、表示シート１の外周側部位１Ａをシート取付部３にて取付対象側に取り付けた状態で、シート取付部３を構成する被保持バー３１や引き寄せ連結具３２のクランプ状又は凹状の係止部３２ｂと当接又は近接する部位を含む領域に配置されている。
なお、その他の構成は、前述の第１実施形態と同様であるので、同様の構成箇所には同一の番号を付記し、その説明は省略する。
【００３６】
〔第３実施形態〕
図６は、本発明のシート取付構造の第３実施形態を示している。この第３実施形態では、第２実施形態と同様、表示シート１の外周側部位１Ａの姿勢を外周面３３ａに沿って変更する姿勢変更部材３３が備えられているが、被保持バー３１の構成、及び、引き寄せ連結具３２の構成が、第２実施形態とは異なっている。
【００３７】
被保持バー３１は、その短手方向の両端部の両縁部３１ｂ（図６中の上下の縁部）が横断面視で半円状に面取りされている。また、被保持バー３１の長手方向の中間部位には、後述する引き寄せ連結具３２のフック部３２ｆが係止自在な係止孔３１ｄが板厚方向に沿って貫通形成されている。表示シート１の外周側部位１Ａは、被保持バー３１を包むように折り返す状態で被保持バー３１に巻き掛けられ、折り返し前の部位１ａと折り返し後の部位１ｂとが積層された状態で姿勢変更部材３３の外周面３３ａに当接するように配置されている。
【００３８】
表示シート１の外周側部位１Ａの適所には、ハトメ等で補強された挿通孔（図示省略）が形成されており、被保持バー３１の係止孔３１ｄと表示シート１の挿通孔との位置を揃えた状態で、被保持バー３１の係止孔３１ｄと表示シート１の挿通孔に対してフック部３２ｆが挿入されて係止されている。
【００３９】
引き寄せ連結具３２は、先端側にフック部３２ｆが形成され、且つ、基端側にネジ部３２ｇが形成された棒状の引き寄せ連結具本体３２Ｄと、本体フレーム２３に形成された挿通孔を通過した後のネジ部３２ｇに螺合自在なナット３２Ｅ等を備えて構成されている。ナット３２Ｅを締め込み操作することで、本体フレーム２３を反力受けにして先端側のフック部３２ｆを後方側に引き寄せることができ、表示シート１に張力を付与する状態で表示シート１の外周側部位１Ａを本体フレーム２３に取り付けることができる。
【００４０】
第１シート１１よりも強度の高い第２シート１２は、第１シート１１の外周側部位１１Ａの少なくとも一部として、第１シート１１における姿勢変更部材３３の外周面３３ａに近接又は当接する部位を含む領域に積層されている。第２シート１２は、シート設置枠２の開口部２１の開口縁よりも外周側において第１シート１１の外側辺に沿って帯状に延びる状態で配置されている。第２シート１２は、折り返し前の部位１ａにおける第１シート１１の姿勢変更部材３３側の面に積層され、縫着や接着等の適宜の取付手段にて取り付けられている。
【００４１】
なお、第２シート１２は、折り返し後の部位１ｂにおける第１シート１１の姿勢変更部材３３側の面に積層状態で備えられていたり、折り返し前の部位１ａや折り返し後の部位１ｂにおける第１シート１１の姿勢変更部材３３とは反対側の面に積層状態で備えられていてもよい。
また、第２シート１２は、第１シート１１の挿通孔が形成されている部位に積層状態で備えられていてもよい。この場合、第２シート１２にも挿通孔を形成し、第１シート１１の挿通孔及び第２シート１２の挿通孔の周縁部にハトメ等（図示省略）を取り付けることで、第１シート１１の挿通孔の周縁部の強度も高める状態で第２シート１２を取り付けるようにしてもよい。
その他の構成は、第２実施形態と同様であるので、同様の構成箇所には同一の番号を付記し、その説明は省略する。
【００４２】
〔第４実施形態〕
図７は、本発明のシート取付構造の第４実施形態を示している。この第４実施形態では、表示シート１に張力を付与する状態で表示シート１の外周側部位１Ａをシート設置枠２に取付自在なシート取付部３が、表示シート１の外周側部位１Ａを挟持する状態で保持自在な挟持部材３４と、当該挟持部材３４を本体フレーム２３に固定自在なビス等の固定部材３５等から構成されている。
【００４３】
挟持部材３４は、本体フレーム２３側に配置される受け部材３４Ａと、受け部材３４Ａの凹部に嵌め込み自在な押さえ部材３４Ｂとから構成されている。受け部材２４Ａ及び押さえ部材３４Ｂには、固定部材３５にて本体フレーム２３に固定するために、固定部材３５の軸部を挿通自在な挿通孔が形成されている。
表示シート１に張力を付与する状態で表示シート１の外周側部位１Ａを受け部材３４Ａと押さえ部材３４Ｂとの間に配置し、受け部材３４Ａ及び押さえ部材３４Ｂの挿通孔を通して固定部材３５を本体フレーム２３にネジ込むことで、受け部材３４Ａと押さえ部材３４Ｂとの間で表示シート１の外周側部位１Ａを挟持する状態で、受け部材３４Ａと押さえ部材３４Ｂを本体フレーム２３に固定し、表示シート１の外周側部位１Ａを本体フレーム２３に取り付けることができる。
【００４４】
第１シート１１よりも強度の高い第２シート１２は、第１シート１１の外周側部位１１Ａの少なくとも一部として、第１シート１１における受け部材３４Ａの凹部の当接又は近接する部位を含む領域に積層されている。第２シート１２は、シート設置枠２の開口部２１の開口縁よりも外周側において第１シート１１の外側辺に沿って帯状に延びる状態で配置されている。第２シート１２は、第１シート１１における受け部材３４Ａの凹部の内面に相対向する側の面に積層されて適宜の取付手段にて取り付けられている。
ちなみに、第２シート１２は、第１シート１１における押さえ部材３４Ｂに相対向する側の面に積層状態で備えられていてもよい。
なお、その他の構成は、第１実施形態と同様であるので、同様の構成箇所には同一の番号を付記し、その説明は省略する。
【００４５】
〔別実施形態〕
本発明の他の実施形態について説明する。尚、以下に説明する各実施形態の構成は、それぞれ単独で適用することに限らず、他の実施形態の構成と組み合わせて適用することも可能である。
【００４６】
（１）上記実施形態では、図２に示すように、被保持バー３１の複数本が、長手方向の端部３１Ａどうしを僅かに隙間を空けて近接させる配置状態で表示シート１の外周辺に沿って一直線状に配置されている場合を例に示したが、被保持バー３１の複数本が、長手方向の端部３１Ａどうしを当接させる配置状態で表示シート１の外周辺に沿って一直線状に配置されていてもよい。
【００４７】
（２）本発明のシート取付構造は、前述の実施形態で示した画像表示パネルＰを構成する場合に限らず、各種の表示シート１を各種の取付対象に取り付ける場合に好適に適用することができる。
【００４８】
（３）上記実施形態では、表示シート１が、第１シート１１の外周側部位１１Ａの少なくとも一部に、第１シート１１よりも強度の高い第２シート１２を積層して構成されている場合を例に示したが、第１シート１１と同等の強度の第２シート１２を積層して構成されていてもよい。その場合、第２シート１２は、第１シート１１とは別に構成するだけでなく、第１シート１１の一部から構成することができる。例えば、表示シート１は、第１シート１１の一部である外周縁側を中央側に折り返して当該折り返し部位を第２シート１２とし、その第２シート１２を第１シート１１の外周側部位１１Ａの少なくとも一部に積層して構成することができる。
【符号の説明】
【００４９】
１          表示シート
１Ａ        外周側部位
２          取付対象（シート設置枠）
３          シート取付部
１１        第１シート
１１Ａ      外周側部位
１２        第２シート
３１        被保持バー
３１Ａ      長手方向の端部
３１ａ      外縁部
３２        引き寄せ連結具
ＧＣ        ガラスクロス
【図１】
2020160298.tif 000003
【図２】
2020160298.tif 000004
【図３】
2020160298.tif 000005
【図４】
2020160298.tif 000006
【図５】
2020160298.tif 000007
【図６】
2020160298.tif 000008
【図７】
2020160298.tif 000009